(57)【要約】【課題】  グローブが壁面から浮いた状態で光ることによる違和感がなく、しかも照明装置全体をコンパクト化することにより浴室を広く見せる。【解決手段】  壁面に固定された台座と、該台座に固定されるグローブと、前記グローブ内部に設けられた光源からなる照明装置であって、前記グローブの前記壁面に沿って配置された後面部から前記壁面側に突出した円筒状の取付部に固定部を設け、前記台座の壁面に固定された基部の外周部から前方へ突出する円筒状に設けられた取付部に被固定部を設け、この被固定部と固定部との結合によってグローブを台座に固定してなる照明装置において、前記グローブの後面部は、前記台座の取付部先端と前記壁面からの距離が略同一である第１の後面部と、前記台座が前記グローブにより覆われるように、前記グローブの側面部の後端と第１の後面とを繋ぐ第２の後面部とから構成した。【選択図】  図２
2006202563.tif 000002
【特許請求の範囲】
【請求項１】
壁面に固定された台座と、該台座に対して固定することにより、前記壁面へ固定されるグローブと、前記グローブ内部に設けられた光源からなる照明装置であって、
前記グローブは、前記光源の前方を覆う着色された正面部と、該正面部の後方に突出した側面部と、該側面部から前記壁面に沿って配置された後面部と、該後面部から前記壁面側に突出した円筒状の取付部とからなり、前記側面部と前記後面部とは前記正面部よりも光の透過率が高いと共に、前記取付部には固定部を設けてなり、
前記台座は、壁面に固定された基部と、該基部の外周部から前方へ突出する円筒状の取付部とからなり、該取付部に、前記グローブに設けた固定部に対応する被固定部を備えてなり、該被固定部へ前記グローブに設けた固定部が結合されることによって前記グローブを前記台座に固定してなる照明装置において、
前記グローブの後面部は、前記台座の取付部先端と前記壁面からの距離が略同一である第１の後面部と、前記台座が前記グローブにより覆われるように、前記グローブの側面部の後端と前記第１の後面とを繋ぐ第２の後面部とからなることを特徴とする照明装置。
【請求項２】
前記グローブの周囲は矩形形状であり、該グローブの取付部に設けられた固定部は、この取付部の周面に設けられた複数個の加圧突起であり、前記台座の取付部に設けられた被固定部は、この取付部の周面に設けられた複数個の固定突起であり、前記グローブを前記台座に沿わせて回動したときに、前記加圧突起と前記固定突起とが係合することによって、前記台座に対して前記グローブが固定されてなることを特徴とする請求項１記載の照明装置。
【発明の詳細な説明】
【技術分野】
【０００１】
本発明は、光源を内包したグローブが、光源側の台座に密着することにより、壁に取り付けられる防湿形照明装置に係り、特に浴室での使用に好適な照明装置に関する発明である。
【背景技術】
【０００２】
従来の照明装置のうち、浴室に用いられる照明装置は、浴室で生じる水蒸気が光源等に触れるのを防止するために、防湿形となっており、ホルダーである台座に、光源を覆うグローブが密着するように取り付けられている。この場合、グローブは、目に入ってまぶしくないように、光を拡散し、また、柔らかい光を浴室内に供給できるように、乳白色等に着色されている（例えば、特許文献１参照）。
この例では、台座の前方端にグローブが固定されており、しかもこのグローブから光が放射されるため、照明が壁面からではなく、壁面から一定の距離がある部位が光ることになる。
そのため、光源が包まれたグローブが、側壁から浮き上がって見えることにより、浴室利用者に違和感を与えることとなる。また、壁面から台座分の距離だけ離れにグローブが接続されているため照明装置をコンパクト化することはできないという欠点がある。
【０００３】
そこで、台座を設けずグローブを直接壁面に当接させる例がある（例えば、特許文献２参照）。この例では、グローブ自体が浴室の洗い場への光の供給、壁面への光の拡散の役割を担っているため、器具本体のサイズをコンパクト化できないという欠点がある。また、グローブは２つの部材が螺合する構造であり、その螺合部がグローブの側面に位置するため、その螺合部において環状に光の透過率が低下する部分が発生し、見栄えが悪いという問題点がある。
【０００４】
【特許文献１】特開平９−９７５０９号公報（第２−４頁、第１図）
【特許文献２】特開２００４−７１４０８号公報（第３−４頁、第１図）
【発明の開示】
【発明が解決しようとする課題】
【０００５】
本発明は、上記問題を解決するためになされたもので、本発明の課題は、グローブが壁面から浮いた状態で光ることによる違和感がなく、しかも照明装置全体をコンパクト化することにより、浴室を広く見せることにある。
【課題を解決するための手段】
【０００６】
上記目的を達成するために請求項１記載の発明によれば、壁面に固定された台座と、該台座に固定されるグローブと、前記グローブ内部に設けられた光源からなる照明装置であって、前記グローブは、前記光源の前方を覆う着色された正面部と、該正面部の後方に突出した側面部と、該側面部から前記壁面に沿って配置された後面部と、該後面部から前記壁面側に突出した円筒状の取付部とからなり、前記側面部と前記後面部とは前記正面部よりも光の透過率が高いと共に、前記取付部には固定部を設けてなり、前記台座は、壁面に固定された基部と、該基部の外周部から前方へ突出する円筒状の取付部とからなり、該取付部に、前記グローブに設けた固定部に対応する被固定部を備えてなり、該被固定部へ前記グローブに設けた固定部が結合されることによって前記グローブを前記台座に固定してなる照明装置において、前記グローブの後面部は、前記台座の取付部先端と前記壁面からの距離が略同一である第１の後面部と、前記台座が前記グローブにより覆われるように、前記グローブの側面部の後端と前記第１の後面とを繋ぐ第２の後面部とからなることを特徴とする。
従って、グローブを台座に固定した状態において、前記グローブの側面部後部が前記台座に覆い被さることにより、グローブの側面部と壁面との隙間を狭くして側面部や底面部を壁面に近づけてコンパクトに配置することが可能となる。また、グローブの側面部及び後面部は正面部よりも光の透過率が高いため、この側面部や底面部が壁面の近くに位置することと相俟って側面部や後面部を透過した光が壁面によって多く反射し、照明装置と近傍の壁面を均一に明るく照らすことができる。
【０００７】
また、請求項２記載の発明によれば、前記グローブの周囲は矩形形状であり、該グローブの取付部に設けられた固定部は、この取付部の周面に設けられた複数個の加圧突起であり、前記台座の取付部に設けられた被固定部は、この取付部の周面に設けられた複数個の固定突起であり、前記グローブを前記台座に沿わせて回動したときに、前記加圧突起と前記固定突起とが係合することによって、前記台座に対して前記グローブが固定されてなることを特徴とすることにより、グローブが矩形形状であってもそのグローブの取付時に矩形形状における角部が移動する範囲を狭くすることができ、側壁の中央位置だけでなく、側壁同士のコーナー近傍に設置することが可能となり、側壁への設置のみではなく、側壁同士のコーナー部へも本照明器具を設置することができる。
【発明の効果】
【０００８】
本発明によれば、照明装置をコンパクトにすることにより、浴室をより広く見せることができ、壁からの反射光量を増やすことで照明装置と近傍の壁面を均一に明るく照らすことができるという効果がある。
【発明を実施するための最良の形態】
【０００９】
以下、図面に基づいて、本発明の実施の形態である浴室用照明装置について説明する。図１はこの発明の一実施の形態に係る照明装置を備えた浴室の外観斜視図であり、図２は図１で示される本発明の一部断面した側面図である。図３は図２のＡ−Ａ矢視断面図である。図４は図１で示される照明装置の台座周りの正面図である。図５は図４で示される台座の底部の正面図の一部であり、浴室用照明装置に害虫が侵入しないようにする構造を示す図面である。
【００１０】
図１において、浴室Ｕは、床パン１、壁パネル２、天井パネル３、引戸４、浴槽５、洗い場台６、浴槽給湯栓７、洗い場給湯栓８、化粧鏡９、シャワーユニット１０、手すり１１，１２、および、照明装置１３等を有した浴室ユニットから形成されている。
【００１１】
壁パネル２は、防水性床パン１の外周部に載置固定されており、この壁パネル２上に天井パネル３が取り付けられている。引戸４は、洗い場Ｙを形成する洗い場床パン１ａの端部に取り付けられ、洗い場Ｙ側と脱衣室（図示せず）間の入浴者の出入りを可能にしている。浴槽５は、洗い場床パン１ａに隣接する１段低い浴槽側床パン１ｂ上に設置され、側部に本体側壁部が洗い場Ｙ側から見えないように、エプロン部５ａを有している。
【００１２】
洗い場台６は、浴室ユニットの正面壁Ｗを形成する壁パネル２と接するように、床パン１上に取り付けられており、洗い場Ｙ側と浴槽５側との両者に面する部分の上面に、それぞれ洗い場給湯栓８と浴槽給湯栓７とが取り付けられている。そして、この正面壁Ｗ上には、化粧鏡９、シャワーユニット１０および手すり１１が取り付けられている。
【００１３】
照明装置１３は、浴室Ｕ内を明るく照らすためのものであり、正面壁Ｗの天井パネル３に近い位置に２台設置されている。ここで、浴室Ｕの広さは様々であり、狭い浴室においては照明装置１３が１台のみ設置される場合がある。
以下、この照明装置１３について詳細に説明する。
【００１４】
照明装置１３は、図２で示されるように、台座２０と、ソケット２１と、光源２２と、グローブ２３と、反射板２４と、グローブパッキン２５と、取付パッキン２６と、取付ねじ２７（図３参照）等とから構成されている。
【００１５】
台座２０は、図２および図４で示されるように、円板状の基部２０Ａの外周部に、前方へ突出する円筒状の取付部２０Ｂを有したものである。基部２０Ａには、外面側に取付パッキン２６の保持溝２０ａが形成されているとともに、内面側に反射板２４を保持・固定するための案内突起２０ｂが形成されている。また、基部２０Ａには、中央部には開口２０ｃが形成され、この周りの内面側に、ソケット２１支持用のリング状突起２０ｄが形成されている。取付部２０Ｂには、外周端にグローブパッキン２５の保持溝２０ｅが形成されているとともに、内面側にグローブ２３を固定するための被固定部としての固定突起２０ｆが所定ピッチで形成されている。
【００１６】
この台座２０は、保持溝２０ａ中の取付パッキン２６を正面壁Ｗに加圧するようにして、基部２０Ａに差し込まれた取付ねじ２７を、正面壁Ｗ側にねじ込むことにより、この正面壁Ｗに取り付けられる。
【００１７】
さらに台座２０の基部２０Ａには、後述するように、開口２０ｃにソケット２１が差し込まれるようになっているが、ソケット２１の後方端は開口２０ｃに接することなく、一定の隙間を有するようになっている。これは、この開口２０ｃは、光源が通電により光を発すると同時に発する熱を逃がすためである。そのため、この隙間はできるだけ大きい方が良いが、以下の理由により余り大きくすることはできない。
前述の開口２０ｃは、放熱を目的とする他に、家の外壁と浴室Ｕとの隙間から照明装置１３のグローブ２３に侵入する害虫の侵入経路となる。そこで、害虫が侵入できないように、開口２０ｃの周囲にソケットに接しない高さでの第１昆虫侵入防止突起２０ｇを設けている。
さらに開口２０ｃの穴の中央には、径方向に第２昆虫侵入防止リブ２０ｈを設けている。この第２昆虫侵入防止リブ２０ｈは、前記害虫が侵入できないようにすることを目的とする他に、後述するソケット２１の後方端に接続する、電源コードＥの被覆が剥離した際に現れる２本の銅線の短絡を防止する役目もある。
【００１８】
ソケット２１は、図２および図４で示されるように、円筒体の前端部にフランジ部２１ａを有したもので、後端側を台座２０の開口２０ｃ側に差し込んだ後、フランジ部２１ａ側からねじ２８をリング状突起２０ｄ先端のねじ穴にねじ込むことにより、台座２０に取り付けられる。この場合、ソケット２１は、後端部が、正面壁Ｗの開口Ｗ１を介して、壁パネル２と建物の壁面間に突出するように位置決めされる。なお、このソケット２１には、電源供給用のコードＥが接続されている。
【００１９】
光源２２は、例えば６０Ｗの白熱灯から構成されている。この光源２２は、図２に示されるように、口金部（図示せず）がソケット２１の前端側凹部２１ｂ内にねじ込まれて、台座２０の基部２０Ａから正面壁Ｗの前方側へ突出した状態で、このソケット２１に取り付けられている。そして、この光源２２の発光部は、グローブ２３内のほぼ中央に位置決めされている。尚、光源２２としては、白熱灯の他に電球型蛍光灯でも良い。
【００２０】
グローブ２３は、光源２２周りを覆って、光源２２やソケット２１等が浴室Ｕ内の水蒸気の影響を受けるのを防止する機能と、光源２２からの光を拡散して、入浴者が光源２２からの光によってまぶしさを感じないようにするとともに、浴室Ｕ内に柔らかい適正な光を照射する機能を有するものである。
【００２１】
このグローブ２３は、図２で示されるように、この照明装置１３の取付壁である正面壁Ｗに沿って配置される、略矩形形状でしかも、正面側及び下面側を曲率で結んだ形状の、着色部としての正面部２３Ａと、この正面部２３Ａ周りに、後方に突出するように配置された、外面が波形に形成された、透明部としての略矩形形状の側面部２３Ｂと、この側面部２３Ｂの後端側に配置される、透明部としての孔空き矩形形状の後面部２３Ｃと、後面部２３Ｃの内端側に配置される、円筒状の取付部２３Ｄとから構成されている。
ここで、側面部２３Ｂの正面壁Ｗ側である後方端と取付部２３Ｄの正面壁と反対側である前方端とは同一鉛直面上にはなく、側面部２３Ｂの後端の前出が取付部２３Ｄの前方端より大きくなっている。つまり、側面部２３Ｂが取付部２３Ｄの一部を覆うようになっている。
そのため、後面部２３Ｃは単一の孔空き矩形形状ではなく、略鉛直方向に形成した穴空き矩形形状の第１の後面部２３Eの外側に、傾斜した矩形形状である第２の後面部２３Fが繋がった形状となっている。この傾斜した矩形形状は、外向きに傾斜しており、しかもこの傾斜面は、側面部２３Bの先端を浴室Ｕの正面壁Ｗに接近するように形成している。そのため、グローブ内で反射した光がこの後面部２３Ｃを透過した場合に、より拡散しやすいようになっている。
【００２２】
正面部２３Ａは、例えば、乳白色に着色された樹脂材によって形成されているとともに、側面部２３Ｂと後面部２３Ｃと取付部２３Ｄとは、例えば、樹脂材によって、一体的かつ透明に形成されている。そして、正面部２３Ａと、一体的に形成された側面部２３Ｂ、後面部２３Ｃ及び取付部２３Ｄとが、例えば、超音波溶着によって接合されている。なお、このグローブ２３の側面部２３Ｂ、後面部２３Ｃ及び取付部２３Ｄは略透明な樹脂材料で形成されており、光の透光部となる。
【００２３】
着色部としての正面部２３Ａ、透明に形成される側面部２３Ｂ及び後面部２３Ｃ等は、これらを透過した光が直接入浴者の目に入ってまぶしさを生じさせないため、またグローブ内の光を均等に四方へ拡散するように、内面にシボ処理（表面に小凹凸が生じる処理）が施されている。ここで同様な例として、シボ処理をグローブの内面ではなく外表面に施すこともできる。
【００２４】
取付部２３Ｄの外面には、台座２０の固定突起２０ｆに係合して、グローブ２３を台座２０側に加圧する固定部としての複数の加圧突起２３ｂ（後述にて詳述する。例えば図９参照。）が形成されている。このグローブ２３は、取付部２３Ｄを台座２０の取付部２０Ｂに差し込んだ後、これを所定角度だけ回転して、固定突起２０ｆと加圧突起２３ｂとが係合することにより、台座２０側に取り付けることができる。この場合、グローブ２３の後面部２３Ｃが、台座２０側のグローブパッキン２５側を加圧するため、グローブ２３と台座２０間の隙間はシールされ、グローブ２３内にお湯や水蒸気が侵入するのを防止することができる。
【００２５】
後面部２３Ｃは、取付部２３Ｄの加圧突起２３ｂと台座の固定突起２０ｆが係合したとき、正面壁Ｗとの隙間が数ｍｍ程度の隙間となるようにしている。これにより、
壁での光を反射を積極的に利用するべく、正面部２３Ａの表面積の割合を、透明に形成される側面部２３Ｂの表面積より多くすることにより、グローブ２３内で反射し、取付部と正面壁Ｗとの隙間から出る光量を多くしている。
そのため、浴室利用者へ直接届く光よりも浴室の壁面で反射して利用者に届く光の量を多くしているので、間接照明に近い印象を利用者に与えることが出来、よりリラックスできる。
【００２６】
反射板２４は、光源２２からの光を、やや前方に向いた状態で下方に反射するものであり、薄い金属板から構成されている。この反射板２４は、図２で示されるように、台座２０のリング状突起２０ｄの上方に配置される案内突起２０ｂに沿って、前端側が上向きに傾斜した状態で、台座２０にねじ２８によって取り付けられている。なお、反射板２４の前部側は光源２２に沿うように下向き凹状に湾曲されている。
【００２７】
本実施形態の作用効果について説明する。
本実施形態においては、グローブ２３において、側面部２３Ｂ、後面部２３Ｃ及び取付部２３Ｄを光を透過できる材料により形成した。さらに後面部２３Ｂの正面壁Ｗとの隙間を数ｍｍ程度となるようにした。しかも後面部２３Ｃは単一の孔空き矩形形状ではなく、鉛直方向に形成した穴空き矩形形状の第１の後面部２３Eの外側に、傾斜した矩形形状である第２の後面部２３Fが繋がった形状となっている。この傾斜した矩形形状は、外向きに傾斜するようにした。
そのため、壁からの反射光量を増やすことができ、結果的に壁が光っているように見せることができるので、違和感のなく、しかもコンパクトにすることにより、浴室をより広く見せることができるという効果がある。
【００２８】
台座２０の開口２０Ｃの周囲で、しかもソケット２１側に、ソケット２１に当接しない高さの第１昆虫侵入突起２０ｇを設け、さらに開口２３の中心から周方向に渡って第２昆虫侵入防止リブ２０ｈを設けた。
そのため、第１昆虫侵入突起２０ｇは、光源の放熱を妨げることなく、家屋の外壁内面と浴室外面との隙間から、グローブ２３に侵入する昆虫の侵入を阻止できる。さらに、第２昆虫侵入防止リブ２０ｈは、第１昆虫侵入突起と同様に、昆虫に侵入を防止するとともに、電源供給用コードＥの被覆が剥離した際の銅線同士の短絡を阻止することが出来るという効果を奏する。
【００２９】
本発明の台座２０とグローブ２３との固定構造に関して、以下に説明する。
図６は本発明の照明装置の別設置状態を示す浴室の外観斜視図である。図７は図６で示される照明装置の台座周りの正面図である。図８は図７で示される台座の側面図である。図９は図６で示されるグローブの背面図である。図１０は台座の固定突起とグローブの加圧突起の係合状態を示す図である。
【００３０】
本実施形態にかかわる照明装置においては、正面壁Ｗ（図１参照）又は正面壁Ｗとその他の側壁とのコーナー（図６参照）の何れにも設置できるようにした。
【００３１】
第６図において、照明装置１３の設置位置は、天井パネル３に近い、正面壁Ｗとその他の壁パネル２とのコーナー近傍で、照明装置１３のグローブ２３の正面部２３Ａの曲率が浴室の内側を向くように、２個の照明装置１３を向かい合わせで設置している。ここで、正面壁Ｗとその他の壁パネル２とのコーナー近傍とは、グローブ２３を台座２０に挿入した後にグローブ２３を回動・脱着しても側壁と干渉することがない、この側壁に最も近い正面壁Ｗの一部部位である。
【００３２】
照明装置１３を、正面壁Ｗと、正面壁Ｗとその他の側壁とのコーナー近傍に設置する場合、２つの方法がある。第１の方法は、グローブ２３を台座２０に固定する場合に、グローブの曲率が浴室の内側を向くように、台座２０を、図１で示した取付位置から、台座の中心に対して９０度回転して正面壁Ｗに設置する場合である。さらに第２の方法は、台座２０の正面壁Ｗへの取付位置を変えず、通常の係合状態（図１参照）及び通常から左右９０度回転した位置でも、台座２０の固定突起２０ｆとグローブ２３の加圧突起２３ｂが係合し、グローブ２３が台座２０に対して取り付くようにする方法である。つまり、台座２０を壁に回転して固定するか、台座２０に対してグローブ２３を回転しても固定できるようにすることである。
本実施形態では、台座の固定突起２０ｆとグローブ２３の加圧突起２３ｂの形状を最適化し、台座２０に対してグローブ２３を回転しても固定できるようにした。以下に詳述ずる。
【００３３】
グローブ２３の台座２０に対する着脱手段について説明する。台座２０には、図７で示されるように、取付部２０Ｂの内周面側で中心線Ｌ１，Ｌ２間に、周方向に向かって、４つの細長い固定突起２０ｆが形成されている。この固定突起２０ｆは、中心Ｃ１を中心とした時計回り方向端側が低くなる（後方に配置される）ように、後面２０ｉ側（図８参照）が斜状に形成されている。この場合、第１、第２、第３固定突起２０ｊ，２０ｋ，２０ｍは同一形状に形成されているが、図７中右に配置される第４固定突起２０ｎは、他のものより長く形成され、第４係合突起２０ｎと第１係合突起２０ｊ間の隙間空間Ｐ２が、他の固定突起２０ｆ間の隙間空間Ｐ１に比べてやや短く形成されている。
【００３４】
図９で示すように、グローブ２３は、取付部２３Ｄの外周面に、中心線Ｌ３，Ｌ４間に、この取付部２３Ｄの周方向に向かって、４つの細長い加圧突起２３ｂが形成されている。この加圧突起２３ｂでは、取付部２３Ｄの端面に形成されている。
【００３５】
加圧突起２３ｂは、同一形状の第１、第２、第３、第４加圧突起２３ｃ，２３ｄ，２３ｅ，２３ｆからなり、取付部２３Dの端面から後面部２３Ｃ方向に、グローブ２３の台座２０への過回転を防止するする、ストッパー部２３ｇが形成されている。さらに、図１の状態より、グローブ２３が、グローブ２３の中心に対して１８０度回転した位置では、グローブ２３が台座２０に取り付けできないように、第１乃至第４加圧突起と同一円周上で、しかも第４加圧突起の近傍のストッパー部２３ｇに隣接した位置に、逆方向取付阻止突起２３ｈを設けている。
ここで、逆方向取付阻止突起２３ｈは、グローブ２３をホルダー２０へ挿入した後、逆方向への回転を規制する機能もある。
第１、第２、第３加圧突起２３ｃ，２３ｄ，２３ｅは、台座２０の隙間空間Ｐ１の長さ（取付部２０Ｂの周方向に向いた長さ）より充分短く形成されており、第４加圧突起２１ｆの近傍の逆方向取付阻止突起２３ｇから第１係合突起２３ｃ間の隙間は、第１、第２、第３係合突起２３ｃ，２３ｄ，２３ｅ間の隙間空間より狭いが、第４加圧突起２３ｆ、第４加圧突起２３ｆ近傍のストッパー２３ｇ及び逆方向取付阻止突起２３ｈの間隔は、隙間空間Ｐ１より短く形成されている。
【００３６】
つぎに、グローブ２３が、台座２０に対して図１の状態よりも左右に９０度回転した場合の着脱手順について図１０を参照しつつ説明する。
ここで、図１０は、グローブ２３の加圧突起２３ｂと台座２０の固定突起２０ｆとの係合状態を示す図である。図１０（ａ）は、グローブ２３を台座２０に挿入した状態、図１０（ｂ）はグローブ２３の加圧突起が台座２０の固定突起２０ｆと係合した状態、図１０（ｃ）は、第一実施形態で説明した通常状態から、グローブ２３を１８０度回転したときに、グローブ２３を台座２０に挿入直後の状態を示す。
【００３７】
まず、図１０の（ａ）で示されるように、グローブ２３の取付部２３Ｄを台座２０の取付部２０Ｂの軸心方向に対して上方に位置させた後、グローブ１３を取付位置より反時計へ所定角度（例えば約１０度）傾けた位置で、グローブパッキン２５がグローブ２３の後面部２３Ｃ外面に当接するまで、グローブ２３の取付部２３Ｄを台座２０の取付部２０Ｄ内に差し込む。このことにより、グローブ２３の各々の加圧突起２３ｂは台座１０の隙間空間Ｐ１上に位置決めされ、グローブ２３の第１、第２、第３、第４加圧突起２３ｃ，２３ｄ，２３ｅ，２３ｆは、台座１０の隙間空間Ｐ１、Ｐ２上の、第１、第２、第３、第４固定突起２０ｊ，２０ｋ，２０ｍの周囲に位置決めされる。この場合、台座２０の固定突起２０ｆの後面２０ｉ（図８参照）と、グローブ２３の加圧突起２３ｂの、台座側端面とが位置決めされる。
【００３８】
つぎに、図１０の（ｂ）で示されるように、グローブ２３を、台座２０に対して時計方向に対して所定角度（例えば１０度）だけ回転させる。すると図８において、下方から上方へグローブ２３移動し、その結果、グローブ２３の加圧突起２３ｂの凸部が、固定突起２０ｆの傾斜面に当接し、力を加えると両者が接触し、さらに力を加えるとグローブ２３のストッパー２３ｇが台座２０の固定突起２０ｆに当接する。これにより利用者はグローブ２３が台座２０に対し係合が完了したと認識することが出来る。
ここで、グローブ２３を台座２３に対して反時計方向へ回転した場合は、グローブ２３の逆方向取付阻止突起２３ｈが、台座２０の固定突起２０ｆに当接する。この場合、グローブ２３の加圧突起と台座２０の係合突起の傾斜面に接しないため、グローブ２３を基台２０に固定することができない。
【００３９】
次に、グローブ２３を、台座２０に対する正常な取付位置から１８０度回転して取付ようとした場合に、取り付けることが出来ない場合について説明する。
【００４０】
この場合は、図１０（ｃ）に示すように、取付位置から反時計方向へ所定角度（例えば１０度）回転し、グローブパッキン２５がグローブ２３の後面部２３Ｃ外面に当接するまで、グローブ２３の取付部２３Ｄを台座２０の取付部２０Ｄ内に差し込む際、台座２０の第４固定突起２０ｎにグローブの第４加圧突起２３ｆ及び逆方向取付阻止突起２３ｈが当接し、グローブ２３を台座２０に取る付けることができない。
【００４１】
尚、所定の取付位置以外では、グローブ２３の取付部２３Ｄを台座２０の取付部２０Ｂ内に差し込むことができないため、グローブ２３を台座２０に取るつけることはできない。
【００４２】
本実施形態の作用効果について説明する。
グローブ２３の加圧突起２３ｂ及び台座２０の固定突起２０ｆを、通常位置（図１参照）及び通常状態から左右９０度にのみ取付できるようにし、しかも、その取付けにおいてはグローブ２３を１０度程度回動させることにより固定できるようにしたので、周囲が矩形状のグローブであってもその角部がコーナー部を形成する正面壁Wとその他の側壁２に干渉することが防止できる。これにより、本件照明装置を、通常位置での取り付け、及び正面壁Wとその他の側壁２のコーナー部近傍への取り付けが、アダプター等を介することなく取付できるので、コストダウンを図ることができる。さらに、利用者が浴室Uの洗い場Yにいるとき、及び浴槽５にいるときのいずれの場合も、見上げた正面の位置の照明装置１３がないので、圧迫感がなく、浴室を広く見せることができる。
【産業上の利用可能性】
【００４３】
本発明に係る照明装置は、浴室だけでなく、居間や階段等の壁に設置することができる極めて有用な発明である。
【図面の簡単な説明】
【００４４】
【図１】この発明の第１の実施の形態に係る照明装置を備えた浴室内の斜視図である。
【図２】図１で示される照明装置の一部断面した側面図である。
【図３】図２のＡ−Ａ矢視断面図である。
【図４】図１で示される照明装置の台座周りの正面図である。
【図５】図１で示される照明装置の台座の底部の正面図の一部であり、虫侵入防止突起を示す図面である。
【図６】この発明の別の実施形態に係る照明装置を備えた浴室内の斜視図である。
【図７】図６で示される照明装置の台座周りの正面図である。
【図８】図７で示される台座周りの側面図である。
【図９】図６で示されるグローブの背面図である。
【図１０】本実施形態における台座の固定突起とグローブの加圧突起の係合状態を示す図である。
【符号の説明】
【００４５】
１３・・照明装置
２０・・台座
２０Ａ・・基部
２０Ｂ・・取付部
２０ｆ・・固定突起（被固定部）
２２・・光源
２３・・グローブ
２３Ａ・・正面部
２３Ｂ・・側面部
２３Ｃ・・後面部
２３Ｄ・・取付部
２３Ｅ・・第１の後面部
２３Ｆ・・第２の後面部
２３ｂ・・加圧突起（固定部）
Ｕ・・浴室ユニット
Ｗ・・正面壁
【図１】
2006202563.tif 000003
【図２】
2006202563.tif 000004
【図３】
2006202563.tif 000005
【図４】
2006202563.tif 000006
【図５】
2006202563.tif 000007
【図６】
2006202563.tif 000008
【図７】
2006202563.tif 000009
【図８】
2006202563.tif 000010
【図９】
2006202563.tif 000011
【図１０】
2006202563.tif 000012